(57)【要約】【課題】薄型ディスプレイを保持するスタンドを収納するスタンド箱の上方に薄型ディスプレイスタンドが収納されていたことにより、薄型ディスプレイを先に取り出し仮置きする作業が必要であった。【解決手段】薄型ディスプレイ１０１が収納可能な形状の下部包装箱２は、スタンド箱７の上方に薄型ディスプレイ１０１が収納される場所を有し、下部包装箱２の底面に対して直角方向の面にスタンド箱取り出し部（角穴部２ａ）を設けた構成であることから、薄型ディスプレイ１０１を下部包装箱から取り出さずともスタンド箱を取り出すことが可能となる。【選択図】図１
2009255940.tif 000002
【特許請求の範囲】
【請求項１】
薄型ディスプレイが収納可能な形状の第１の包装箱と、
前記第１の包装箱の上方より被せられる形状の第２の包装箱と、
前記第１の包装箱に収納され、かつ前記薄型ディスプレイを保持するスタンドが収納可能な形状のスタンド箱とで構成された包装装置において、
前記第１の包装箱は、
前記スタンド箱の上方に前記薄型ディスプレイが収納される空間を有し、
前記第１の包装箱の底面に対して直角方向の面の少なくともひとつの面にスタンド箱取り出し部を設けた構成であることを特徴とする薄型ディスプレイの包装装置。
【請求項２】
第１の包装箱のスタンド箱取り出し部は、
角穴部である請求項１に記載の薄型ディスプレイの包装装置。
【請求項３】
第１の包装箱のスタンド箱取り出し部は、
前記第１の包装箱の底面に対して直角方向の面の少なくともひとつの面が段ボ−ル留めで固定され、前記段ボール留めを外すことにより前記第１の包装箱の底面に対して直角方向の一面が、前記第１の包装箱に対して外側に倒れる形状である請求項１に記載の薄型ディスプレイの包装装置。
【請求項４】
薄型ディスプレイが収納可能な形状の第１の包装箱と、前記第１の包装箱の上方より被せられる形状の第２の包装箱と、前記第１の包装箱に収納され、かつ前記薄型ディスプレイを保持するスタンドが収納可能な形状のスタンド箱とで構成された包装装置から
前記スタンド箱の上方に収納された前記薄型ディスプレイが前記第１の包装箱に収納された状態で、前記スタンド箱をスタンド箱取り出し部から取り出した後、
前記第１の包装箱から前記薄型ディスプレイを取り出し前記スタンドに取り付けることを特徴とする薄型ディスプレイの取り付け方法。
【発明の詳細な説明】
【技術分野】
【０００１】
本発明は、薄型ディスプレイの包装装置および薄型ディスプレイの取り付け方法に関するものである。詳しくは、包装装置から薄型ディスプレイを取り出す前に、先にスタンドを包装装置から取り出し設置した後に、包装装置から薄型ディスプレイを取り出しスタンドに取り付ける方法に関する。
【背景技術】
【０００２】
近年表示パネルとして、薄型ディスプレイの需要は伸びつつある。また一方、その薄型ディスプレイを工場から流通に流し、顧客の元まで品質を保持した状態で運ぶために、耐久性、衝撃性を加味した包装装置は重要な位置づけにある。
【０００３】
当初薄型ディスプレイとスタンドは一体型として製品化されていたが、薄型ディスプレイの支持、固定に寄与しない大容積の無効な空間をその包装箱内に有していたことから、包装形態が見直され、薄型ディスプレイとそれを保持するスタンドが別々の形つまりは別体として扱われるようになってきた。
【０００４】
このように別体として包装箱に収納された薄型ディスプレイ（以降「ディスプレイ」と称する）は、図９に示すように、ディスプレイ１０１を保持するためのスタンド１０２の上にディスプレイ１０１を設置し固定して完成させる。
【０００５】
従来の薄型ディスプレイの包装装置について図を用いて説明する。図１０は、従来の薄型ディスプレイが収納された包装箱の分解斜視図であり、図１１は、従来の薄型ディスプレイが収納された包装箱の縦断面図である。上方が開口した立方体形状の下部梱包箱１０４と、この下部梱包箱１０４を、下部梱包箱１０４の上方より被せられる立方体形状の上部梱包箱１０５とにより構成し、下部梱包箱１０４内にディスプレイ１０１を支えるスタンド１０２が収納されたスタンド箱１０３を収容し、そのスタンド箱１０３上の空間に緩衝材１０６、１０７により保持したディスプレイ１０１を収容したものであった。
【０００６】
また、ディスプレイ１０１は、ガラスなどを素材として用いていることから重量があり、またこのディスプレイ１０１を保持するためのスタンド１０２も同様に重くする必要があることから、包装箱では、スタンド１０２はディスプレイ１０１の下に配置し安定性を持たせていた（特許文献１参照）。
【０００７】
このような包装形態からディスプレイ１０１を固定する方法としては、まず上部梱包箱１０５を上方に引っ張り、下部包装箱１０４から取り外す。次に緩衝材１０６、１０７により保持されたディスプレイ１０１を上方に引っ張り出し、そのディスプレイ１０１を設置したい場所近辺に仮置きする。次にスタンド箱１０３を下部包装箱１０４から上方へ引っ張りながら取り出し、収納されているスタンド１０２を設置する場所へ置く。設置されたスタンド１０２の上に仮置きされたディスプレイ１０１を載せて固定させ完成させることになる。
【特許文献１】特開２００６−８９０６９号公報（第５頁、図１）
【発明の開示】
【発明が解決しようとする課題】
【０００８】
しかしながら、前記従来の構成では、ディスプレイ１０１はガラスなどを素材として用いていることから重量があり、またこのディスプレイ１０１を保持するためのスタンド１０２も同様に重くする必要がある。包装箱では、スタンド１０２はディスプレイ１０１の下に配置し安定性を持たせていたことから、ディスプレイ１０１の下にスタンド箱１０３が収容され、先にディスプレイ１０１を下部包装箱１０４から取り出さない限りスタンド１０２を下部包装箱１０４から取り出すことができなかった。ディスプレイ１０１を下部包装箱１０４から先に取り出せば、ディスプレイ１０１を設置したい場所近辺に仮置きが必要になる。このとき安定性の良くない薄型であるディスプレイ１０１を下部包装箱１０４から取り出し、仮置きすると、ディスプレイ１０１が不安定な状態になる。また、スタンド箱１０３からスタンド１０２を取り出し、設置する順序がディスプレイ１０１より後になることから、ディスプレイ１０１の固定するまでに要する時間が長くなり、工数が増えるという課題を有していた。
【０００９】
本発明は、前記従来の課題を解決するもので、ディスプレイを取り出して仮置きする作業が省け、工数の削減となる薄型ディスプレイの包装装置および薄型ディスプレイの取り付け方法を提供することを目的とする。
【課題を解決するための手段】
【００１０】
上記目的を達成するために、本発明の薄型ディスプレイの包装装置は、薄型ディスプレイが収納可能な形状の第１の包装箱と、前記第１の包装箱の上方より被せられる形状の第２の包装箱と、前記第１の包装箱に収納され、かつ前記薄型ディスプレイを保持するスタンドが収納可能な形状のスタンド箱とで構成された包装装置において、前記第１の包装箱は、前記スタンド箱の上方に前記薄型ディスプレイが収納される空間を有し、前記第１の包装箱の底面に対して直角方向の面の少なくともひとつの面にスタンド箱取り出し部を設けた構成であることを特徴とする。
【００１１】
本構成によって、第１の包装箱には、スタンド箱の上方に薄型ディスプレイが収納される場所を有し、前記第１の包装箱の底面に対して直角方向の面に少なくともひとつの面にスタンド箱取り出し部を設けたことから、順序として薄型ディスプレイより先にスタンドを取り出すことが可能となる包装装置となる。
【００１２】
また本発明の薄型ディスプレイの取り付け方法では、薄型ディスプレイが収納可能な形状の第１の包装箱と、前記第１の包装箱の上方より被せられる形状の第２の包装箱と、前記第１の包装箱に収納され、かつ前記薄型ディスプレイを保持するスタンドが収納可能な形状のスタンド箱とで構成された包装装置から前記スタンド箱の上方に収納された前記薄型ディスプレイが前記第１の包装箱に収納された状態で、前記スタンド箱をスタンド箱取り出し部から取り出した後、前記第１の包装箱から前記薄型ディスプレイを取り出し前記スタンドに取り付けることを特徴とする。
【発明の効果】
【００１３】
以上のように、本発明の薄型ディスプレイの包装装置によれば、第１の包装箱にスタンド箱取り出し部を設けた構成により、薄型ディスプレイを包装箱から取り出さずともスタンド箱を取り出すことが可能となる。
【００１４】
また、本発明の薄型ディスプレイの取り付け方法によれば、薄型ディスプレイをスタンドに載せ固定する時、薄型ディスプレイは包装箱の中に置かれた状態であり、スタンドを先に第１の包装箱のスタンド箱取り出し部から取り出すことができることから、薄型ディスプレイを仮り置きする工数の削減を実現することができる。
【発明を実施するための最良の形態】
【００１５】
以下本発明の実施の形態について、図面を参照しながら説明する。
【００１６】
（実施の形態１）
図１は、本発明の実施の形態１における薄型ディスプレイの包装装置の概略構成を示す分解斜視図である。
【００１７】
本発明の実施の形態１における包装装置１００は、上部包装箱１（第２の包装箱）、下部包装箱２（第１の包装箱）および下部包装箱２に収納されたスタンド箱７とで構成されている。これらの包装箱は、製品の大きさ、重量、素材とその他輸送条件などを考慮した上で設計を行い、現在ではダンボールが適している。上部包装箱１は、直方体形状であり、後述の下部包装箱２の上から被せられるように作製されている。この上部包装箱１は、薄型ディスプレイ１０１全体を覆う大きさが必要である。
【００１８】
次に下部包装箱２は、直方体形状でありかつ上方が開口し、長手方向の側面２に角穴部２ａを有している。この角穴部２ａは、スタンド１０２を収納した直方体形状のスタンド箱７を水平に引っ張りだせるような大きさが必要である。ここでは、下部包装箱２の長手方向の側面２を図示したが、下部包装箱２の短手方向の側面に角穴部があっても良く、同様にスタンド箱７が引き出せれば問題はない。すなわち下部包装箱２は、スタンド箱７の上方に薄型ディスプレイ１０１が収納される空間を有し、下部包装箱２の底面に対して直角方向の面に少なくともひとつの面にスタンド箱取り出し部（角穴部２ａ）が設けられた構成である。またこの下部包装箱２の外側面は、前述の上部包装箱１の内側面で覆うようにしている。
【００１９】
次にスタンド箱７は、スタンド１０２（図示せず）を収納できる大きさであればよく、下部包装箱２の側面に有した角穴部２ａから引き出せるように、天面にある二つのフラップの片側のフラップ５を立てた形状である。このスタンド箱７のフラップ５を立てることにより、下部包装箱２からスタンド箱７を取り出すとき、スタンド箱７のフラップ５を持って取り出すことができるので、作業が容易になる。このスタンド箱７のフラップ５の内側面を下部包装箱２の角穴部２ａの上方側面に当接させ、上部包装箱１を上から覆い、上部包装箱１の内側面と下部包装箱２の外側面とフラップ５をジョイント６で締結させ、包装装置１００を作製している。
【００２０】
またディスプレイ１０１は、上部緩衝材３と下部緩衝材４により保持される。
【００２１】
次に、図２は、薄型ディスプレイとスタンドを収容した様子（状態）を示した図であり、図２（ａ）は縦断面を示した図、図２（ｂ）は横断面を示した図である。図２（ａ）、（ｂ）において、ディスプレイ１０１およびスタンド１０２を下部包装箱２に収容し、このスタンド箱７上に上部緩衝材３と下部緩衝材４により保持したディスプレイ１０１を収容している。そのような状態から上部包装箱１を下部包装箱２の上から被せられている。
【００２２】
本発明の実施の形態１における薄型ディスプレイの包装装置によれば、下部包装箱に角穴部（スタンド箱取り出し部）を設けた構成により、薄型ディスプレイを下部包装箱から取り出さずともスタンド箱を取り出すことが可能となる。
【００２３】
次に本発明の実施の形態１における薄型ディスプレイの包装装置に梱包されたディスプレイとスタンドを取り出し、スタンドにディスプレイを取り付ける方法について説明する。
【００２４】
図３は、薄型ディスプレイの取り付け方法を順次示した図である。
【００２５】
この包装装置１００は、上方が開口した直方体形状の長手方向の側面に角穴部２ａを有した下部包装箱２（第１の包装箱）と、下部包装箱２の上方より被せられる直方体形状の上部包装箱１（第２の包装箱）と、下部包装箱２の角穴部２ａを介して収納された直方体形状のスタンド箱７により構成されている。また、スタンド箱７は、天面にある二つのフラップの片側のフラップ５を法線方向に立て、下部包装箱２の長手方向の外側面にこのフラップ５の内側面を当接させたものであり、上部包装箱１の長手方向の側面と下部包装箱２の長手方向の側面とフラップ５とをジョイント６で締結している形態で包装されている。
【００２６】
まず図３（ａ）に示すように、包装装置１００からスタンド１０２を取り出すため、上部包装箱１と下部包装箱２およびスタンド箱７のフラップ５を締結しているジョイント６を解除して、ジョイント６を上部包装箱１から取り外す。
【００２７】
次に、図３（ｂ）に示すように、上部包装箱１を上方へ引っ張り下部包装箱２から取り外し、スタンド箱７上の空間に上部緩衝材３と下部緩衝材４により保持されたディスプレイ１０１と、スタンド箱７のフラップ５が現れる状態にする。
【００２８】
次に図３（ｃ）に示すように、スタンド１０２が収納されたスタンド箱７を下部包装箱２に施された角穴部２ａから引き出すため、スタンド箱７の天面にある二つのフラップの片側の立てられたフラップ５を引っ張り出し、下部包装箱２の角穴部２ａから取り出す。
【００２９】
次に図３（ｄ）に示すように、スタンド箱７を開けてスタンド１０２を取り出し、設置したい場所に置く。
【００３０】
次に図３（ｅ）に示すように、包装装置１００からディスプレイ１０１を上方に引っ張り出し、スタンド１０２の上から載せて薄型ディスプレイを取り付け完成させる。
【００３１】
以上のような手順により、薄型ディスプレイ１０１を別体のスタンド１０２に取り付ける時、薄型ディスプレイ１０１は下部包装箱２の中に置かれた状態であり、スタンド箱７を先に取り出すことができることから、従来の薄型ディスプレイの包装装置から薄型ディスプレイを取り出したような仮置きの工数の削減を実現することができる。
【００３２】
また、包装装置１００を持ち上げたとき、スタンド１０２の質量で下部包装箱２の下面が撓んでしまう場合がある。これを解決するために、スタンド箱７の片側のフラップ５をジョイント６で下部包装箱２と上部包装箱１とで締結することにより、包装装置を持ち上げた時の下部包装箱２の撓みを防止することができる。
【００３３】
また、図４においては、スタンド箱７が摺動できるように、隙間を確保するような下部緩衝材４とスタンド箱７の関係を示している。
【００３４】
（実施の形態２）
図５は、本発明の実施の形態２における薄型ディスプレイの包装装置の概略構成を示す分解斜視図である。
【００３５】
本発明の実施の形態２における包装装置２００は、上部包装箱１（第２の包装箱）、下部包装箱１０（第１の包装箱）および下部包装箱１０に収納されたスタンド箱１１（図示せず）とで構成されている。上部包装箱１は、直方体形状であり、後述の下部包装箱１０の上から被せられるように作製されている。この上部包装箱１は、薄型ディスプレイ１０１全体を覆う大きさが必要である。
【００３６】
次に下部包装箱１０は、直方体形状でありかつ上方が開口し、折り曲げ部１０ａと前板１０ｂが段ボ−ル留め１０ｃで固定されている。この下部包装箱１０の段ボ−ル留め１０ｃの詳細を図６を用いて説明する。段ボ−ル留め１０ｃは、下部包装箱１０の前板１０ｂの一部を折り曲げ、折り曲げ部１０ａの穴に挿入した形状になっている。解除する時は、道具を使わず、指で下部包装箱１０の前板１０ｂの一部を戻せば、簡単に実施することが可能である。
【００３７】
さらに、段ボ−ル留め１０ｃの位置とジョイント締結の位置は、前述の図５にも示す通りになっている。下部包装箱１０の前板１０ｂと折り曲げ部１０ａを段ボ−ル留め１０ｃし、かつ下部包装箱１０の前板１０ｂと折り曲げ部１０ａ、上部包装箱１をジョイント６で締結するため、下部包装箱１０の強度を確保することができ、またテープを使用しないため、テープを貼る工数とテ−プの材料費を削減することができる。
【００３８】
次にスタンド箱１１は、スタンド１０２を収納できる大きさであればよく、スタンド箱１１が摺動できるように、下部緩衝材４とスタンド箱１１の関係は、実施の形態１と同様である。
【００３９】
次に、図７は、薄型ディスプレイとスタンドを収容した様子（状態）を示した図であり、図７（ａ）は縦断面を示した図、図７（ｂ）は横断面を示した図である。図７（ａ）、（ｂ）において、包装装置２００は、スタンド１０２が収納されたスタンド箱１１を下部包装箱１０に収容し、このスタンド箱１１上に上部緩衝材３と下部緩衝材４により保持されたディスプレイ１０１を収容している。そのような状態から上部包装箱１を下部包装箱１０の上から被せられている。
【００４０】
本発明の実施の形態２における薄型ディスプレイの包装装置によれば、下部包装箱の底面に対して直角方向の面の少なくともひとつの面が段ボ−ル留めで固定され、段ボール留めを外すことにより下部包装箱の底面に対して直角方向の一面が、下部包装箱に対して外側に倒れる形状である構成により、薄型ディスプレイを下部包装箱から取り出さずとも外側に倒れた下部包装箱の一面からスタンド箱を取り出すことが可能となる。
【００４１】
次に本発明の実施の形態２における薄型ディスプレイの包装装置に梱包されたディスプレイとスタンドを取り出し、ディスプレイをスタンドに取り付ける方法について説明する。
【００４２】
図８は、薄型ディスプレイの取り付け方法を順次示した図である。
【００４３】
この包装装置２００は、下部包装箱１０（第１の包装箱）、上部包装箱１（第２の包装箱）および下部包装箱１０に収納されたスタンド箱１１とで構成されている。上部包装箱１は、直方体形状であり、下部包装箱１０の上から被せられる形態である。また下部包装箱１０は、図に示すように直方体形状であり、折り曲げ部１０ａと前板１０ｂが段ボ−ル留め１０ｃで固定されている。
【００４４】
まず図８（ａ）に示すように、包装装置２００からスタンド１０２を取り出すため、下部包装箱１０の長手方向の側面と下部包装箱１０の折り曲げ部１０ａと長手方向の側面１０ｂとが締結されているジョイント６を解除して、ジョイント６を上部包装箱１から取り外す。
【００４５】
次に図８（ｂ）に示すように、上部包装箱１を上方へ引っ張り下部包装箱１０から取り外し、スタンド箱１１上の空間に上部緩衝材３と下部緩衝材４により保持されたディスプレイ１０１と、下部包装箱１０が現れる状態にする。
【００４６】
次に図８（ｃ）に示すように、下部包装箱１０の折り曲げ部１０ａと長手方向の側面１０ｂが固定された段ボール留め１０ｃを取り外し、図８（ｄ）に示すように、側面１０ｂを外側方向へ倒し、スタンド箱１１が現れる状態にする。
【００４７】
次に図８（ｅ）に示すように、スタンド箱１１を下部包装箱１０から取り出す。
【００４８】
次に図８（ｆ）に示すように、スタンド箱１１を開けてスタンド１０２を取り出し、設置したい場所に置く。
【００４９】
次に図８（ｇ）に示すように、下部包装箱１０からディスプレイ１０１を上に引っ張り出し、スタンド１０２の上から載せて薄型ディスプレイを取り付けて、完成させる。
【００５０】
以上のような手順により、薄型ディスプレイ１０１を別体のスタンド１０２に載せ取り付ける時、薄型ディスプレイ１０１は下部包装箱１０の中に置かれた状態であり、スタンド箱１１を先に取り出すことができることから、包装装置から薄型ディスプレイを取り出したような仮置きの工数の削減を実現することができる。
【産業上の利用可能性】
【００５１】
本発明の薄型ディスプレイの包装装置は、屋内に設置されるパネルヒーター、ついたて、屋外に設置される立て看板などスタンドにより支持されるあらゆるパネル状構造物の流通用包装箱の用途にも適用できる。
【図面の簡単な説明】
【００５２】
【図１】本発明の実施の形態１における薄型ディスプレイの包装装置の概略構成を示した分解斜視図
【図２】薄型ディスプレイとスタンドを収容した様子を示した図
【図３】薄型ディスプレイの取り付け方法を順次示した図
【図４】本発明の実施の形態１，２における薄型ディスプレイの包装装置の下部緩衝材とスタンド箱の関係を示す断面図
【図５】本発明の実施の形態２における薄型ディスプレイの包装装置の上部包装箱と下部包装箱の斜視図
【図６】本発明の実施の形態２における薄型ディスプレイの包装装置の段ボ−ル留めを示す断面図
【図７】薄型ディスプレイとスタンドを収納した様子を示した図
【図８】薄型ディスプレイの取り付け方法を順次示した図
【図９】薄型ディスプレイとスタンドとを取り付ける方法を示した図
【図１０】従来の薄型ディスプレイの包装装置の概略構成を示した分解斜視図
【図１１】従来の薄型ディスプレイの包装装置を示した縦断面図
【符号の説明】
【００５３】
１        第２の包装箱（上部包装箱）
２、１０  第１の包装箱（下部包装箱）
２ａ      角穴部（スタンド箱取り出し部）
３        上部緩衝材
４        下部緩衝材
５        フラップ
６        ジョイント
７、１１  スタンド箱
１０ａ    折り曲げ部
１０ｂ    前板
１０ｃ    段ボ−ル留め
１００、２００  包装装置
１０１    薄型ディスプレイ（ディスプレイ）
１０２    スタンド
１０３    スタンド箱
１０４    下部梱包箱
１０５    上部梱包箱
１０６、１０７  緩衝材
【図１】
2009255940.tif 000003
【図２】
2009255940.tif 000004
【図３】
2009255940.tif 000005
【図４】
2009255940.tif 000006
【図５】
2009255940.tif 000007
【図６】
2009255940.tif 000008
【図７】
2009255940.tif 000009
【図８】
2009255940.tif 000010
【図９】
2009255940.tif 000011
【図１０】
2009255940.tif 000012
【図１１】
2009255940.tif 000013